(57)【特許請求の範囲】
【請求項１】
被取付部材に設けられた金属系材料からなる意匠部と、
前記意匠部の背部に配置され、該意匠部に当接又は近接する被検出体を個別に検出する複数の電極とを備え、
前記意匠部は、前記複数の電極の配置に合わせて分割された複数の意匠片で構成された静電センサであって、
前記意匠部は金属材料からなり、
前記複数の電極の各々とその配置に合わせて分割された該当の前記意匠片とを短絡した、静電センサ。
【請求項２】
請求項１に記載の静電センサにおいて、
前記複数の意匠片は、導電体製の箔テープ及び透明電極の少なくとも一方からなる、静電センサ。
【請求項３】
請求項１又は２に記載の静電センサにおいて、
前記複数の電極の各々は、その板厚方向に前記意匠部を投影した空間に非占有の状態で配置された、静電センサ。
【発明の詳細な説明】
【技術分野】
【０００１】
本発明は、被検出体を非接触の状態で個別に検出可能な複数の電極を有する静電センサに関するものである。
【背景技術】
【０００２】
従来、こうした静電センサとして種々のものが提案されている（例えば特許文献１など）。
【先行技術文献】
【特許文献】
【０００３】
【特許文献１】特開２０１４−６１７５３号公報
【発明の概要】
【発明が解決しようとする課題】
【０００４】
このような静電センサでは、例えば見栄えの観点から被取付部材の意匠部の背部に複数の電極を隠すことが検討されている。この場合、これら複数の電極は、全体として意匠部に対向するように広げられている。
【０００５】
ところで、意匠部が金属や高誘電率樹脂等の材料（以下、「金属系材料」という）からなる場合、複数の電極間が意匠部を介して結合してしまい、各電極による被検出体の検出感度を著しく低下させてしまう。そして、その結果、複数の電極のうちのどの電極が被検出体を検出しているかを区別できなくなる可能性がある。
【０００６】
本発明の目的は、複数の電極のうちのどの電極が被検出体を検出しているかをより確実に区別することができる静電センサを提供することにある。
【課題を解決するための手段】
【０００７】
上記課題を解決する静電センサは、被取付部材に設けられた金属系材料からなる意匠部と、前記意匠部の背部に配置され、該意匠部に当接又は近接する被検出体を個別に検出する複数の電極とを備え、前記意匠部は、前記複数の電極の配置に合わせて分割された複数の意匠片で構成された静電センサであって、前記意匠部は金属材料からなり、前記複数の電極の各々とその配置に合わせて分割された該当の前記意匠片とを短絡した。
【０００８】
この構成によれば、例えば前記複数の意匠片の各々が前記複数の電極間を跨がないように前記意匠部を分割することで、それら複数の電極間の結合を抑えることができ、前記各電極による前記被検出体の検出感度の低下を抑えることができる。従って、前記複数の電極のうちのどの電極が前記被検出体を検出しているかをより確実に区別することができる。
【０００９】
この構成によれば、前記各電極は、その短絡される該当の前記意匠片との協働で前記被検出体を検出することができる。
【００１０】
上記静電センサについて、前記複数の意匠片は、導電体製の箔テープ及び透明電極の少なくとも一方からなることが好ましい。
上記静電センサについて、前記複数の電極の各々は、その板厚方向に前記意匠部を投影した空間に非占有の状態で配置される。
【００１１】
この構成によれば、前記複数の電極の全てが前記意匠部に重ならず、それら複数の電極間に前記意匠部が跨がることもないことで、該意匠部を介した前記複数の電極間の結合を抑えることができ、前記各電極による前記被検出体の検出感度の低下を抑えることができる。従って、前記複数の電極のうちのどの電極が前記被検出体を検出しているかをより確実に区別することができる。
【発明の効果】
【００１２】
本発明は、複数の電極のうちのどの電極が被検出体を検出しているかをより確実に区別できる効果がある。
【図面の簡単な説明】
【００１３】
【図１】静電センサの第１の実施形態が適用される車両を示す斜視図。
【図２】（ａ）は、同実施形態の静電センサについてその構造を示す正面図であり、（ｂ）は、（ａ）の２Ｂ−２Ｂ線に沿った断面図。
【図３】同実施形態の静電センサについてその電気的構成を示すブロック図。
【図４】（ａ）は、第２の実施形態の静電センサについてその構造を示す正面図であり、（ｂ）は、（ａ）の４Ｂ−４Ｂ線に沿った断面図。
【図５】第３の実施形態の静電センサについてその構造を示す断面図。
【図６】（ａ）は、第４の実施形態の静電センサについてその構造を示す正面図であり、（ｂ）は、（ａ）の６Ｂ−６Ｂ線に沿った断面図。
【図７】（ａ）は、変形形態の静電センサについてその構造を示す正面図であり、（ｂ）は、（ａ）の７Ｂ−７Ｂ線に沿った断面図。
【図８】別の変形形態の静電センサについてその構造を示す断面図。
【発明を実施するための形態】
【００１４】
（第１の実施形態）
以下、静電センサの第１の実施形態について説明する。
図１に示すように、自動車などの車両１のボデー２の後部には開口２ａが形成されている。また、ボデー２の後部には、開口２ａの上部に設けられたドアヒンジ（図示略）を介してバックドア３が開閉自在に取着されている。バックドア３は、ドアヒンジを中心に上方に押し上げられることで開放される。
【００１５】
ボデー２の後部には、ドア駆動ユニット４が設置されている。このドア駆動ユニット４は、例えば電動モータなどの電気的駆動源を主体に構成されており、適宜のドア駆動機構を介してバックドア３と機械的に連係されることで該バックドア３を開閉駆動する。また、バックドア３の車室内側の先端には、閉状態にあるバックドア３を施解錠するドアロック５が設置されるとともに、ドアロック駆動ユニット６が設置されている。このドアロック駆動ユニット６は、例えば電動モータなどの電気的駆動源を主体に構成されており、適宜のロック駆動機構を介してドアロック５と機械的に連係されることで該ドアロック５を施解錠駆動する。
【００１６】
ドア駆動ユニット４及びドアロック駆動ユニット６は共に、例えばＭＣＵ（マイコン）からなるドアＥＣＵ（Electronic Control Unit）７に電気的に接続されており、該ドアＥＣＵ７によって個別に駆動制御される。
【００１７】
バックドア３の外表面の中央部には、例えば会社名などの標章８が設置されるとともに、該標章８の背部には、略楕円板状のセンサ体１０が設置されている。このセンサ体１０は、例えば標章８に接触又は近接する被検出体としてのユーザの手指を検知するためのもので、例えばＭＣＵからなる制御部２０に電気的に接続されている。この制御部２０は、ドアＥＣＵ７にも電気的に接続されている。
【００１８】
図２（ａ）、（ｂ）に示すように、被取付部材としての標章８は、例えば樹脂材にて略楕円板状に形成されており、例えば金属材料からなる略太陽十字（楕円の中に十字）状の意匠部９が埋め込まれている。なお、意匠部９は、複数分割されており、略太陽十字の十字を描く上下一対の意匠片９ａ，９ｂ、左右一対の意匠片９ｃ，９ｄ及び中心の意匠片９ｅを有するとともに、略太陽十字の楕円を描く４つの略弓状の意匠片９ｆ，９ｇ，９ｉ，９ｈを図示左上から時計周りの順番で有する。
【００１９】
一方、センサ体１０は、例えばガラスエポキシ基板からなる略楕円板状の絶縁基板１５を備える。センサ体１０は、この絶縁基板１５において意匠部９（標章８）の背部に固定されている。絶縁基板１５は、車両の幅方向及び高さ方向に長径方向及び短径方向がそれぞれ延びる状態で標章８に対向するように広がっている。つまり、絶縁基板１５の主面に意片匠の外周は、意匠部９（意匠片９ｆ〜９ｉ）の外周に略沿っている。
【００２０】
絶縁基板１５の標章８から離間する側である裏面１５ａには、意匠片９ｆ〜９ｉの内周側で４つの略楕円板状の電極１１，１２，１３，１４がそれぞれ形成されている。それら４つの電極１１〜１４は、１ｃｈ（チャンネル）〜４ｃｈをそれぞれ構成する。各ｃｈの電極１１〜１４は、これに近接するユーザの手指Ｈとで構成される静電容量を変化させる。
【００２１】
４つの電極１１〜１４は、それらの板厚方向に４つの意匠片９ｆ〜９ｉを投影した空間にそれぞれ占有する状態で配置されており、それら意匠片９ｆ〜９ｉとそれぞれ密接に容量結合する。具体的には、例えば電極１１は、意匠片９ｆと密接に容量結合するものの、他の意匠片９ｇ〜９ｉとの容量結合は相対的に小さくなっている。
【００２２】
また、各電極１１〜１４は、その板厚方向に意匠片９ａ〜９ｅを投影した空間に非占有の状態で配置されており、それら意匠片９ａ〜９ｅとの容量結合は相対的に小さくなっている。つまり、各電極１１〜１４は、意匠片９ａ〜９ｅを介した他の電極１１〜１４との容量結合が抑えられている。
【００２３】
換言すれば、意匠部９は、各意匠片９ａ〜９ｉが４つの電極１１〜１４間を跨がないように分割されている。
図３に示すように、電極１１〜１４は、制御部２０に接続されている。制御部２０は、例えば各電極１１〜１４に発振信号を出力することで、その静電容量に応じた電圧レベルの検知信号［Ｖ］を出力させる。制御部２０は、この検知信号を入力することで、各電極１１〜１４に近接するユーザの手指Ｈを検知する。
【００２４】
ここで、ユーザは、その手指Ｈを標章８に接触又は近接させる操作を行うことで、その求める対象物に対する操作が得られるようになっている。すなわち、ユーザの手指Ｈが標章８に接触又は近接することで、４つの電極１１〜１４の検知信号が変化する。例えばユーザの手指Ｈが標章８の左上部に接触又は近接する場合には、電極１１の検知信号のレベルが大きくなる。他の電極１２〜１４についても同様である。制御部２０は、このような検知信号のレベルの変化に基づいて、即ち標章８のどの位置にユーザの手指Ｈが接触又は近接しているかに基づいて、ユーザの求める対象物に対する操作を検出する。そして、制御部２０は、検出された操作に対応する出力処理を行う。
【００２５】
例えばユーザがその手指Ｈを標章８の左上部及び右上部に接触又は近接させる操作がそれぞれバックドア３を開作動及び閉作動させる操作に対応するものとする。また、ユーザがその手指Ｈを標章８の左下部及び右下部に接触又は近接させる操作がそれぞれドアロック５を施錠作動及び解錠作動させる操作に対応するものとする。この場合、例えば電極１１の検知信号のレベルが大きくなって所定の上限閾値レベルを超えると、制御部２０は、ユーザの手指Ｈが標章８の左上部に接触又は近接していると見なして、バックドア３を開作動させる旨を表す操作信号をドアＥＣＵ７に出力する。このとき、ドアＥＣＵ７がバックドア３を開作動すべくドア駆動ユニット４を駆動制御することはいうまでもない。ユーザがその手指Ｈを標章８の他の部位に接触又は近接させる場合も、対象物等が異なることを除けば同様である。
【００２６】
以上詳述したように、本実施形態によれば、以下の作用効果を奏することができる。
（１）本実施形態では、各意匠片９ａ〜９ｉが４つの電極１１〜１４間を跨がないように意匠部９が分割されていることで、それら複数の電極１１〜１４間の結合を抑えることができ、各電極１１〜１４によるユーザの手指Ｈの検出感度の低下を抑えることができる。従って、複数の電極１１〜１４のうちのどれがユーザの手指Ｈを検出しているかをより確実に区別することができる。
【００２７】
（２）本実施形態では、各電極１１〜１４は、その強く容量結合する該当の意匠片９ｆ〜９ｉとの協働でユーザの手指Ｈを検出することができる。これにより、各電極１１〜１４（及び意匠片９ｆ〜９ｉ）によるユーザの手指Ｈの検出感度をより向上させることができる。特に、各意匠片９ｆ〜９ｉは、標章８の表面に露出する状態でこれに埋め込まれていることで、該標章８の厚み分の検知距離損失を抑えることができ、各電極１１〜１４の検出感度をいっそう向上させることができる。また、標章８を厚くしても検知距離損失を抑えることができるため、その意匠の自由度を向上させることができる。
【００２８】
（３）本実施形態では、複数の電極１１〜１４の配置に合わせて分割すれば、意匠部９の形状を任意に選択することができ、意匠の自由度を向上させることができる。
（４）本実施形態では、意匠部９は、標章８に埋め込まれていることで、例えば意匠部９の非形成部位から絶縁基板１５（センサ体１０）が露出することを防止でき、見栄えを向上させることができる。
【００２９】
（５）本実施形態では、標章８は、意匠部９の非形成部位が樹脂材（金属系材料以外）からなることで、その背部にセンサ体１０（電極１１〜１４）を配置してもユーザの手指Ｈを検出することができる。
【００３０】
（６）本実施形態では、複数の電極１１〜１４は、絶縁基板１５に配置・固定されていることで、それら電極１１〜１４を補強することができる。
（７）本実施形態では、複数ｃｈの電極１１〜１４を有することで、それらによって複数種類の操作を設定することができる。そして、設定された複数種類の操作によって、対象物にさまざまな作動をさせることができる。
【００３１】
また、設定可能な操作の種類数を増やすために、例えばＸ−Ｙ電極のような複雑な電気的構成（制御を含む）にしなくてもよく、省スペース化・少コスト化を実現することができる。
【００３２】
（８）本実施形態では、センサ体１０（電極１１〜１４）とユーザの手指Ｈとで構成される静電容量の変化を利用することで、該手指Ｈを非接触の状態で検知可能である。
（第２の実施形態）
以下、静電センサの第２の実施形態について説明する。なお、第２の実施形態は、第１の実施形態の意匠片と電極とを電気的に接続（短絡）した構成であるため、同様の部分についてはその詳細な説明は省略する。
【００３３】
図４（ａ）、（ｂ）に示すように、第１の実施形態の意匠部９に準じた意匠部３０は、例えば金属材料からなり、意匠片９ａ〜９ｉに準じた意匠片３０ａ，３０ｂ，３０ｃ，３０ｄ，３０ｅ，３０ｆ，３０ｇ，３０ｈ，３０ｉを有する。一方、絶縁基板１５に準じた絶縁基板３５には、電極１１〜１４に準じた４つの電極３１，３２，３３，３４が形成されている。そして、各意匠片３０ｆ〜３０ｉには、例えば銅線等の導電体製の端子３６が絶縁基板３５に向かってその板厚方向に突設されている。一方、絶縁基板３５には、その板厚方向に各端子３６と同心で開口する挿通孔３５ａが形成されるとともに、各電極３１〜３４には、隣接する該当の各意匠片３０ｆ〜３０ｉの端子３６と同心で開口する挿通孔３７が形成されている。各意匠片３０ｆ〜３０ｉの端子３６は、該当の挿通孔３５ａ，３７を貫通するとともに、その先端で各電極３１〜３４と例えばハンダ付け等で短絡されている。つまり、各意匠片３０ｆ〜３０ｉ及びこれに短絡される各電極３１〜３４は全体として一つの導体と見なせる。
【００３４】
以上詳述したように、本実施形態によれば、前記第１の実施形態における（１）、（３）〜（８）の効果に加えて以下に示す効果が得られるようになる。
（１）本実施形態では、各電極３１〜３４は、その短絡される該当の意匠片３０ｆ〜３０ｉとの協働でユーザの手指Ｈを検出することができる。これにより、各電極３１〜３４（及び意匠片３０ｆ〜３０ｉ）によるユーザの手指Ｈの検出感度をより向上させることができる。特に、各意匠片３０ｆ〜３０ｉは、標章８の表面に露出する状態でこれに埋め込まれていることで、該標章８の厚み分の検知距離損失を抑えることができ、各電極３１〜３４の検出感度をいっそう向上させることができる。あるいは、各意匠片３０ｆ〜３０ｉは、絶縁基板３５を貫通する端子３６を介して該当の電極３１〜３４に短絡されることで、絶縁基板３５の厚み分の検知距離損失を抑えることができ、各電極３１〜３４の検出感度をいっそう向上させることができる。
【００３５】
（２）本実施形態では、各電極３１〜３４が端子３６を介して標章８（意匠片３０ｆ〜３０ｉ）に一体化されることで、絶縁基板３５を省略することができる。この場合、各電極３１〜３４を標章８により近付けることができ、該標章８との離間距離分の検知距離損失を抑えることができ、各電極３１〜３４の検出感度をいっそう向上させることができる。あるいは、静電センサ（センサ体）を全体としてより小型化することができる。
【００３６】
（第３の実施形態）
以下、静電センサの第３の実施形態について説明する。なお、第３の実施形態は、第１の実施形態の標章を密閉型に変更した構成であるため、同様の部分についてはその詳細な説明は省略する。
【００３７】
図５に示すように、本実施形態のセンサ体４０は、第１の実施形態の絶縁基板１５に準じた絶縁基板４１を備える。この絶縁基板４１の表面４１ａは、例えば黒色などに色付けされている。また、センサ体４０は、電極１１〜１４に準じて絶縁基板４１の裏面４１ｂに４つの電極４２が形成されている。
【００３８】
一方、被取付部材としての標章４５は、表面４１ａに接合された略太陽十字状の意匠体４６を備える。この意匠体４６は、その形状にならって表面４１ａから隆起する、例えば樹脂材からなる突設部４７を有するとともに、該突設部４７に貼り付けられる、例えば銅箔テープ等の導電体製の箔テープからなる意匠部４８を有する。この意匠部４８は、意匠部９の意匠片９ａ〜９ｉに準じて分割された複数の意匠片４８ａで構成される。そして、意匠片９ｆ〜９ｉに相当する意匠片４８ａは、電線４９を介して各電極４２と短絡されている。なお、突設部４７は、全体が連続する一体ものでもよいし、少なくとも各意匠片４８ａを分離しない態様で複数分割されたものでもよい。
【００３９】
また、標章４５は、表面４１ａに向かって開口する、例えば透明材料の樹脂材（例えば透明アクリル樹脂材）からなる有蓋略楕円筒状のカバー４５ａを備えるとともに、裏面４１ｂに向かって開口する、例えば樹脂材からなる有底略楕円筒状のケース４５ｂを備える。ケース４５ｂは、カバー４５ａに嵌着されることで略閉塞された内部空間Ｓを形成する。この内部空間Ｓには、センサ体４０及び意匠体４６等と共に回路部Ｃが収容される。この回路部Ｃは、例えば制御部２０の一部又は全部の電気回路を構成する。
【００４０】
以上詳述したように、本実施形態によれば、前記第１の実施形態における（１）、（３）〜（８）の効果及び前記第２の実施形態における（１）の効果に加えて以下に示す効果が得られるようになる。
【００４１】
（１）本実施形態では、透明材料からなるカバー４５ａは、絶縁基板４１の表面４１ａと共に意匠体４６を覆っている。従って、標章４５は、カバー４５ａを通じて色付けされた表面４１ａ及び金属調の意匠部４８が露出することで、意匠性を高めることができる。
【００４２】
（２）本実施形態では、導電体製の箔テープからなる意匠部４８を採用したことで、カバー４５ａ内で最外側に意匠部４８を配置することができ、防水性を確保しながらも検知距離損失を抑えることができる。
【００４３】
（３）本実施形態では、表面４１ａの色付けされた絶縁基板４１で４つの電極４２を隠したことで、見栄えをより向上させることができる。
（４）本実施形態では、標章４５に内部空間Ｓを形成してこれにセンサ体４０等を収容したことで、例えば防水性能を高めることができる。
【００４４】
（第４の実施形態）
以下、静電センサの第４の実施形態について説明する。なお、第４の実施形態は、第１の実施形態の標章を変更した構成であるため、同様の部分についてはその詳細な説明は省略する。
【００４５】
図６（ａ）、（ｂ）に示すように、本実施形態の被取付部材としての標章５０は、例えば樹脂材にて略楕円板状に形成されており、例えば金属材料からなる略太陽十字状の意匠部５１が埋め込まれている。なお、意匠部５１は、全体が連続する一体ものとなっており、略楕円形の周壁５１ａ及び該周壁５１ａの内周面に接続される略十字状の内壁５１ｂを有する。
【００４６】
一方、絶縁基板１５に準じた絶縁基板５２の標章５０から離間する側である裏面５２ａには、意匠部５１（周壁５１ａ及び内壁５１ｂ）の区画する４つの領域に合わせて４つの略楕円板状の電極５６，５７，５８，５９がそれぞれ形成されている。それら４つの電極５６〜５９は、１ｃｈ〜４ｃｈをそれぞれ構成する。
【００４７】
各電極５６〜５９は、その板厚方向に意匠部５１を投影した空間に非占有の状態で配置されており、該意匠部５１との容量結合は相対的に小さくなっている。つまり、各電極５６〜５９は、意匠部５１を介した他の電極５６〜５９との容量結合が抑えられている。換言すれば、４つの電極５６〜５９は、それらの間に意匠部５１が跨がらないように配置されている。
【００４８】
以上詳述したように、本実施形態によれば、前記第１の実施形態における（４）〜（８）の効果に加えて以下に示す効果が得られるようになる。
（１）本実施形態では、４つの電極５６〜５９の全てが意匠部５１に重ならず、それら４つの電極５６〜５９間に意匠部５１が跨がることもない。このため、意匠部５１を介したそれら４つの電極５６〜５９間の結合を抑えることができ、各電極５６〜５９によるユーザの手指Ｈの検出感度の低下を抑えることができる。従って、複数の電極５６〜５９のうちのどれがユーザの手指Ｈを検出しているかをより確実に区別することができる。
【００４９】
なお、上記実施形態は以下のように変更してもよい。
・図７（ａ）、（ｂ）に示すような標章６０も考えられる。すなわち、第１の実施形態の絶縁基板１５に準じた絶縁基板６１の表面６１ａは、例えば黒色などに色付けされている（図７（ａ）においてパターンを付して表現）。そして、標章６０は、表面６１ａに接合された略Ｅ字状の意匠体６２を備える。この意匠体６２は、その形状にならって表面６１ａから突出する、例えばすりガラス状の導光板６３を有するとともに、該導光板６３の形状にならって更に突出する意匠６４を有する。この意匠６４には、導光板６３を光らせるためのＬＥＤ６４ａが内蔵されている。なお、意匠６４は、導光板６３との間に略Ｅ字状の枠が形成されるように、該導光板６３よりも細く成形されている。
【００５０】
また、標章６０は、表面６１ａに向かって開口する、例えば透明材料の樹脂材（例えば透明アクリル樹脂材）からなる有蓋略円筒状のカバー６５を備える。このカバー６５は、表面６１ａ側から絶縁基板６１等を覆う。
【００５１】
なお、発光源（ＬＥＤ６４ａ）を導光板６３内や背景物（表面６１ａ）上に配置してその搭載スペースを確保してもよい。要は、発光源は背景物の上部に存在して該背景物にも光を当てて光らせられればよい。
【００５２】
また、カバー６５に多種の光又は可視光のうちの特定の色（周波数）の光しか透過しないフィルタを付けて、当該特定の色を認識させるようにしてもよい。
このような標章６０では、以下に示す効果が得られるようになる。
【００５３】
（１）立体的な構造物の意匠６４（意匠体６２）であることで、該意匠６４の垂直方向（絶縁基板６１の板厚方向）に対して傾斜する直射日光であれば、これを意匠６４が遮ることになってその背部の表面６１ａ上に影が生まれる。従って、光や光の色の変化を認識できる。
【００５４】
（２）導光板６３を透明ではなくすりガラス状にしたことで、該導光板６３が白色となり、背景物（表面６１ａ）や構造物（意匠６４）の色とは異なることで、導光板６３の存在を引き立たせることができる。また、背景物（表面６１ａ）が黒色であることで、対照色である白色の導光板６３（意匠体６２）をより認識しやすくできる。特に、導光板６３（意匠体６２）の色が変われば、いっそう認識しやすくできる。
【００５５】
（３）黒色の背景物（表面６１ａ）は光を吸収するため、各種物体で反射する光の乱反射（まぶしさ）を抑えることができ、背景物の上に存在する明るい色をくっきりさせることができる。つまり、白色の導光板６３やその色の変化をより認識しやすくできる。
【００５６】
（４）構造物（意匠６４）からはみ出す白色の導光板６３が目立つことで、構造物をより引き立たせることができ、標章６０をより分かりやすくできる。また、導光板６３は、背景物（表面６１ａ）と構造物（意匠６４）との間に位置することで、外部光の影や黒色背景によって明るい色でもより目立つことができる。
【００５７】
（５）導光板６３をすりガラス状にしたことで、ＬＥＤ６４ａの光が拡散する。このため、導光板６３がむらなく色を発光するとともに、発光源であるＬＥＤ６４ａの存在が外部から分かりにくくなり、意匠を損なわない。
【００５８】
（６）構造物（意匠６４）の外側に透明材料のカバー６５を配置したことで、相対的に直射日光を受けにくくなり入射方向も限られるため、ＬＥＤ６４ａの発光に対する影響を抑えることができる。
【００５９】
・図８に示すように、前記第３の実施形態において、意匠片９ａ〜９ｅに相当する意匠片４８ａを省略するとともに、意匠片９ｆ〜９ｉに相当する意匠片４８ａに代えて、例えばＩＴＯからなる複数の透明電極７１を採用してもよい。各透明電極７１は、カバー４５ａに取着するとともに、電線７２を介して各電極４２に短絡される。
【００６０】
このように変更することで、前記第１の実施形態における（１）、（３）〜（８）の効果、前記第２の実施形態における（１）の効果及び前記第３の実施形態における（３）、（４）に加えて、カバー４５ａ内で最外側に透明電極７１を配置することができ、防水性を確保しながらも検知距離損失を抑えることができる。
【００６１】
・前記第３の実施形態において、意匠部４８は、突設部４７に蒸着した金属からなっていてもよい。
・前記第１、第４実施形態において、意匠部９，５１は、高誘電率樹脂からなっていてもよい。
【００６２】
・前記第１〜第３の実施形態において、意匠部９，３０，４８は、電極間の結合を抑えるように分割されるのであれば、一部が電極間に跨っていてもよい。
・前記第１、第２、第４の実施形態において、電極（センサ体）を収容等するケース（４５ｂ）を備えてもよい。
【００６３】
・前記第１、第２、第４の実施形態において、標章８，５０の意匠部９，３０，５１を埋め込む樹脂材（意匠部９の非形成部位）は、透明材料からなっていてもよい。この場合、透明材料を通じて露出する絶縁基板の表面を、例えば黒色などに色付けして意匠性を高めてもよい。
【００６４】
・前記第１、第２、第４の実施形態において、標章８，５０の意匠部９，３０，５１を埋め込む樹脂材を省略してもよい。つまり、意匠部９，３０，５１を露出させてもよい。この場合、意匠部９，３０，５１を覆うカバー（４５ａ）を設けてもよい。
【００６５】
・前記各実施形態において、意匠部の形状は任意であり、絶縁基板に設けられる電極の個数も複数であれば任意である。
・前記各実施形態において、電極は、絶縁基板全体に銅箔等の導電体製の箔を貼り付けるとともに、当該箔の不要な部分を機械的・化学的に除去することで形成してもよい。あるいは、電極は、絶縁基板に銅等の導電体製のパターンをめっきによって析出させたり、蒸着によって付着させたりすることで形成してもよい。
【００６６】
あるいは、電極は、絶縁基板に銅等の金属板を貼り付けることで形成してもよい。
・前記各実施形態において、ユーザがその手指Ｈを標章８に接触又は近接させる操作の位置と該当する対象物との関係は適宜変更すればよい。
【００６７】
・前記各実施形態において、制御部２０は、ドアＥＣＵ７を介することなくドア駆動ユニット４又はドアロック駆動ユニット６を直に駆動制御してもよい。
・前記各実施形態において、制御部２０による検知信号の監視は、アナログ処理で行ってもよいし、デジタル処理で行ってもよい。
【００６８】
・前記各実施形態において、制御部２０の機能は、例えば論理回路を組み合わせたハードウェア構成で実現してもよい。
・前記実施形態において、被取付部材は、バックドア３の標章８以外の適宜箇所や電動で開閉作動可能なスイング式又はスライド式のサイドドア（フロントドア、リヤドア等）、トランクリッド、それらに設置されるドアロックなどであってもよい。あるいは、被取付部材は、電動で開閉作動可能なドアミラーやボンネット、サンルーフ、給油口扉などであってもよい。あるいは、被取付部材は、車両１のボデー２自体（例えばセンターピラーやバックドア３に隣接するリヤピラーなど）やステアリング、インストルメントパネルなどであってもよい。あるいは、被取付部材は、建物等に設置される自動ドアや便座装置、給湯装置、発電装置などの設備であってもよい。
【００６９】
・前記実施形態において、被検出体は、ユーザの手指Ｈ以外の身体（例えば足等）であってもよい。あるいは、被検出体は、導電糸の編み込まれた手袋や、いわゆるタッチペンなどであってもよい。
【００７０】
・前記実施形態において、標章８は、車両１のブランドや車種、グレードなどを示すエンブレムなどでもよい。この標章８は、文字、図形、記号若しくは立体的形状若しくはこれらの結合であれば任意である。
【符号の説明】
【００７１】
Ｈ…手指（被検出体）、８，４５，５０…標章（被取付部材）、９，３０，４８，５１…意匠部、９ａ〜９ｉ，３０ａ〜３０ｉ…意匠片、１１〜１４，３１〜３４，４２，５６〜５９…電極、４８ａ…意匠片（箔テープ）、７１…透明電極（意匠片）。
【図１】
0006520401.tif 000002
【図２】
0006520401.tif 000003
【図３】
0006520401.tif 000004
【図４】
0006520401.tif 000005
【図５】
0006520401.tif 000006
【図６】
0006520401.tif 000007
【図７】
0006520401.tif 000008
【図８】
0006520401.tif 000009